(57)【要約】【課題】  クリップを所定の位置に配置可能な軸筒とクリップとの係止構造を提供するする。【解決手段】  内筒７０の長手方向に沿って内筒７０の外周面から外方に突出した縦リブ７５が複数本設けられている。縦リブ７５がクリップ本体２１の係止部２４の内周面に形成された凹溝に嵌合されることで、クリップ本体２１は内筒７０に対し周方向の回転が不可能に係止される。前方フランジ部７３の前方には、雄ねじ部７７が設けられており、この雄ねじ部７７が軸筒１０の内周面に形成された雌ネジ部１３に螺合係合する。前記縦リブ７５の前端は、軸筒１０の後端縁１２と当接する当接部７１となっており、この当接部７１が軸筒１０の後端縁１２に当接することで内筒７０と軸筒１０との螺合が終了する。この螺合が終了した時点において、クリップ本体２１の係止部２４と、軸筒１０の後端縁１２との間に隙間９０が形成される。【選択図】  図２
2005125495.tif 000002
【特許請求の範囲】
【請求項１】
軸筒と、該軸筒の後端側に設けられたクリップとの係止構造であって、
前記クリップは、軸筒との間で被狭持物を挟み込むクリップ片と、該クリップ片が設けられたクリップ本体とからなり、
上記軸筒の後端には、内筒が螺合により係合され、
前記内筒には、前記クリップ本体の係止部が回転不可能に係止されるとともに、
軸筒と内筒との螺合終了時に、前記クリップ本体の係止部と、軸筒の後端縁との間に隙間を形成したことを特徴とする軸筒とクリップとの係止構造。
【請求項２】
前記クリップ本体の係止部の前方であって内筒の外周面には、軸筒と当接する当接部が形成され、軸筒と内筒との螺合終了時に、該当接部が軸筒に当接し、該当接部によりクリップ本体の係止部と軸筒の後端縁との間に隙間を形成したことを特徴とする請求項１記載の軸筒とクリップとの係止構造。
【請求項３】
前記軸筒の一部には、ユーザーにより把持されるグリップ部が設けられ、該グリップ部には、外方へ突出した凸部が形成され、前記クリップ片の延長線上に該凸部が形成されていることを特徴とする請求項１又は２記載の軸筒とクリップとの係止構造。
【発明の詳細な説明】
【技術分野】
【０００１】
本発明は、筆記具に用いられ、軸筒との間でポケットやノートなどの被狭持物を挟むクリップと、このクリップと軸筒との係止構造に関する。
【背景技術】
【０００２】
軸筒の一部にクリップを係止した係止構造は数多く知られている。軸筒にクリップを係止させる態様として例えば特許文献１が存在する。
【０００３】
【特許文献１】特開２００３−６３１９２号公報
【０００４】
本特許文献１では、軸筒の後端部にクリップが一体に形成された内筒部が螺合係止されている。
このようにクリップが一体に形成されている場合、内筒部、特に軸筒と係止される螺合部の寸法管理をしっかり行っておけば、内筒部の螺合終了時に、内筒部は軸筒に対して所定位置に停止するようになるため、クリップを軸筒に対して一定位置に配置することが可能となる。
【０００５】
上記特許文献１では、クリップと内筒部とが一体に形成されたものであるが、クリップと内筒部とを別部品とした方が、クリップと内筒部とが一体のものよりもデザイン上、機能上好ましい場合が多い。
これは、クリップには、弾性、耐折れ性、印刷性、色表示性などの性能が要求され、内筒部には、強度（螺合の場合はネジ強度）、外観などの性能から要求され、それぞれに求められる性能が異なるからであり、それぞれに最適な性能を付与したクリップと内筒部とを組み合わせることで、デザインや機能を高めることが可能となるからである。このような理由から、クリップと内筒部とは別部品であることが望ましい。
しかし、例えばクリップと内筒部とを別部品とし、これらを組み合わせたような場合には、それぞれに長手方向の寸法誤差が生じているため、これらの誤差の蓄積により、クリップを軸筒に係止したときに、クリップが予定していた位置からずれてしまうおそれがある。特に、デザイン上クリップの位置を一定位置にしたい場合などは、特に不都合となる。
【０００６】
特許文献２には、クリップと内筒部とを別部品としたものが開示されている。
【特許文献２】実公平４−４４３９３  本特許文献２においては、クリップを、頭冠部材をキャップ内部に配置されたナットに螺合することでクリップをキャップに係止してある。  しかし、本特許文献では、そもそもクリップと頭冠部材とは回動自在に設けられているため問題とはならないが、仮に頭冠部材とクリップとが回転不可能に係止されている場合、クリップの頭冠部とキャップとで挟まれる部分の厚みにばらつきが存在すると、頭冠部が必要以上に回転してしまったり、回転が不足してしまったりするという問題が生じる。具体的には、前記厚みが厚すぎると、クリップは所定位置まで到達せず、前記厚みが薄いとクリップは所定位置を越えて回転しすぎてしまう。
【発明の開示】
【発明が解決しようとする課題】
【０００７】
そこで、本発明は、クリップと内筒とが別部品であってもクリップを所定の位置に配置可能な軸筒とクリップとの係止構造を提供することを課題とする。
【課題を解決するための手段】
【０００８】
課題を解決する第１の手段は、軸筒と、該軸筒の後端側に設けられたクリップとの係止構造であって、前記クリップは、軸筒との間で被狭持物を挟み込むクリップ片と、該クリップ片が設けられたクリップ本体とからなり、上記軸筒の後端には、内筒が螺合により係合され、前記内筒には、前記クリップ本体の係止部が回転不可能に係止されるとともに、軸筒と内筒との螺合終了時に、前記クリップ本体の係止部と、軸筒の後端縁との間に隙間を形成したことを特徴とするものである。
軸筒とは、その内部にリフィールを収納したり、シャープペンシルである場合は、シャープペンシルの内部機構を収納したりする部材を指す。また、これらに限られず、筆記先端をカバーするキャップなども含まれる。なお、リフィールは一般的にインクを収納するインク収納管と、インク収納管の先端に取り付けられる筆記チップとからなる。なお、インクの後端に接するように不揮発性であって、ペースト状、グリース状のフォロアーを設けることもできる。
【０００９】
隙間の形成方法としては、後述する手段のように当接部を形成する方法の他、当接部を形成せず、部材が存在しないような空間部としておくこともできる。これは例えば、内筒と軸筒とを螺合させるときに内筒が軸筒に対し所定深さで停止するようにしておくことで達成可能となる。また、内筒の先端縁を軸筒内周面に形成した段部などに当接することで、内筒を所定の深さで停止するようにすることでも達成可能となる。
クリップ本体の係止部と、軸筒の後端縁との間に隙間を形成するようにしたため、クリップの係止部が軸筒に当接しない。このため、クリップ本体の係止部に長手方向の寸法ばらつきが存在していたとしても、このばらつきが内筒の回転の大小に影響を与えないため、クリップを所定の位置に配置することが可能となる。
【００１０】
前記手段に加え、クリップ本体の係止部の前方であって内筒の外周面に、軸筒と当接する当接部を形成し、軸筒と内筒との螺合終了時に、該当接部が軸筒に当接し、該当接部によりクリップ本体の係止部と軸筒の後端縁との間に隙間を形成するようにすることもできる。
本手段は、前記第１の手段をより具体化したものであり内筒の外周面に軸筒と当接する当接部を形成しておき、この当接部を軸筒に当接することで、クリップ本体の係止部と軸筒の後端縁との間に、隙間を形成したものである。
内筒の当接部が軸筒に当接する箇所は、軸筒の後端縁でもいいし、例えば軸筒の内部に段部を形成し、この段部に当接させるようにしてもよい。即ち、必ずしも軸筒の後端縁のみに限られない。
【００１１】
更に、前記各手段に加え、前記軸筒の一部に、ユーザーにより把持されるグリップ部を設け、該グリップ部には、外方へ突出した凸部を形成し、前記クリップ片の延長線上に該凸部を形成することもできる。
例えば、デザイン上に理由によりグリップ部に凸部が形成される場合がある。また、軸筒内部のインク残量を把握するため、軸筒のグリップ部に透明若しくは半透明のレンズ状凸部を形成する場合もある。このような態様においてユーザーがグリップ部を把持する場合、握りやすさの観点から、この凸部を外して把持されることが想定される。具体的には、人差し指と親指との間に凸部を位置させることが多いと考えられる。この場合に、クリップの延長線上に凸部を位置させておけば、凸部を避けて握ることで、クリップも筆記の邪魔ではない位置に配置されることになる。この結果、良好な把持感を与えることが可能となる。
【発明の効果】
【００１２】
本発明により、クリップと内筒とを別部品とすることで、デザインや機能を高めることを可能としつつも、クリップを所定の位置に配置可能な軸筒とクリップとの係止構造を提供することが可能となる。
【発明を実施するための最良の形態】
【００１３】
以下本発明の実施の形態を図１から図１０を用いて説明する。なお、本明細書において前方とは、筆記チップ３１が設けられている方向をいい、後方とはクリップ２０が設けられている方向をいう。
【００１４】
図１は本発明の第１の実施形態を示す縦断面図である。第１の実施形態は、いわゆるノック式筆記具を示している。
このノック式筆記具は、軸筒１０の内部にリフィール３０が収納されるとともに、リフィール３０の先端付近に設けた段部と軸筒１０の先端との間にコイルスプリング４０が設けられており、常にリフィール３０が後方へ付勢された状態となっている。軸筒１０の後端に突出したノック部材５０を押圧をすると、ノック部材５０と連動する回転子６０によりリフィール３０の後端が前方に押され先端に設けられた筆記チップ３１が軸筒１０の先端から突出する。再度、ノック部材を押圧すると、コイルスプリング４０によりリフィール３０は後方へ付勢され軸筒１０の内部に収納される。
詳細な図示は行わないが、リフィール３０はインク収納管３２と、インク収納管３２の先端に設けられた筆記チップ３１とからなる。インク収納管３２の内部には、インクと加圧ガスとが収納されており、加圧ガスによりインクを押し出すような構造となっている。
【００１５】
軸筒１０の前方外周面には、ユーザーにより把持されるグリップ部８０が形成されている。該クリップ部８０は、軸筒１０と軸筒１０の周囲を取り囲んで２色成形により形成された軟質材８２と、軟質材８２の一部に設けられた貫通孔８３と、貫通孔８３から軸筒１０の一部が外方へ突出した凸部８１とからなる。
軟質材８２の材質としては、例えばシリコンゴム、ニトリルゴム（ＮＢＲ）などのゴムや、オレフィン系、スチレン系、ポリエステル系、ナイロン系など各種エラストマーが挙げられる。
前記凸部８１は半透明の凸状のレンズ形状となっており、半透明で形成されたインク収納管３２内部のインク残量が視認しやすいようになっている。
軸筒１０の後端には、クリップ２０が設けられており、クリップ２０のクリップ片２２と軸筒１０の外周面との間で、衣服のポケットやノートなどの被狭持物を挟み込むようになっている。
【００１６】
次に、図１の要部を示した図２を用いてクリップ２０の周辺を説明する。
軸筒１０の後端には、後方から内筒７０が挿入され、軸筒１０の内壁に形成された雌ネジ部１３に内筒７０の外周面に形成された雄ねじ部７７が螺合係合している。
前記内筒７０の外周面の後端には後方フランジ部７４、後方フランジ部の前方には前方フランジ部７３が設けられている。この後方フランジ部７４と前方フランジ部７３との間にクリップ本体２１の係止部２４が前後方向に移動が規制され係止される。クリップ本体２１の後方には、図５に示すように、内径が小さくなった箇所が設けられており、この縮径した箇所が内筒７０の外周面との係止部２４となっている。この係止部２４が後方フランジ部７４と前方フランジ部７３との間に位置することで、クリップ本体２１が前方へ移動しようとした際には、係止部２４の前方に形成された段部２５が前方フランジ部７３に当接することで移動が規制され、クリップ本体２１が後方へ移動しようとした際には、係止部２４の後端縁が後方フランジ部７４に当接することで、クリップ本体２１の後方への移動が規制される。
【００１７】
図３に示すように、後方フランジ部７４と前方フランジ部７３との間には、内筒７０の長手方向に沿って内筒７０の外周面から外方に突出した縦リブ７５が複数本設けられており、この縦リブ７５が図５に示したクリップ本体２１の係止部２４の内周面に形成された凹溝２３に嵌合される。このように縦リブ７５が凹溝２３に嵌合されることで、クリップ本体２１は内筒７０に対し周方向の回転が不可能に係止される。
なお、縦リブ７５の側面には、係止突起７２が設けられており、この係止突起７２が凹溝２３の側面に当接することで、クリップ本体２１のガタツキが防止されている。前方フランジ部７３の前方には、雄ねじ部７７が設けられており、この雄ねじ部７７が軸筒１０の内周面に形成された雌ネジ部１３に螺合係合する。
【００１８】
前記縦リブ７５の前端は、軸筒１０の後端縁１２と当接する当接部７１となっており、この当接部７１が軸筒１０の後端縁に当接することで内筒７０と軸筒１０との螺合が終了する。この螺合が終了した時点において、クリップ本体２１の係止部２４と、軸筒１０の後端縁１２との間に隙間９０が形成される。このような構成としておくことで、クリップ本体２１の長手方向の寸法のバラツキが、内筒７０と軸筒１０との係止に影響を与えないようになる。
このような構成としない場合（クリップ本体２１の係止部２４を軸筒１０の後端縁１２に当接させる場合）、例えば、クリップ本体２１の長手方向の寸法が所定寸法より長いと、内筒７０を軸筒１０に係止しようとした場合、内筒７０と軸筒１０との螺合量が不十分になり、クリップ片２２が所定位置の手前に配置されてしまうことになる。一方、クリップ本体２１の長手方向の寸法が所定寸法より短いと、内筒７０と軸筒１０との螺合量が多くなり、クリップ片２２が所定位置を過ぎた場所に配置されてしまうことになる。
【００１９】
なお、本実施形態では、内筒７０の当接部７１を、軸筒１０の後端縁１２に当接させているが、後端縁に限られるものではなく、例えば、軸筒１０の内周面や外周面に突部や段部を形成し、この突部や段部に当接部７１を当接させることもできる。図１０は、軸筒１０の後端付近の内周面に前方よりも内径が大きい拡径部１４を形成したものであり、この拡径部１４を形成することで、拡径部１４の前方に軸筒段部１１を形成したものである。そして、この軸筒段部１１に内筒７０の外周面に形成された縦リブ７５の当接部７１を当接させてある。その他に要素は図１と同様であるため、説明を省略する。
更に、当接部は本実施形態のように縦リブ７５の先端とする必要もなく、例えば、散点状の突起とすることもできる。また、内筒７０の外周面に設けた前方フランジ部７３のように環状に形成されている突起を当接部とすることもできる。
【００２０】
次に、筆記先端の出没を行わせるノック機構を簡単に説明する。このノック機構は周知の回転子を用いたノック機構である。
図６に示すように、内筒７０の内周面には、長手方向に形成された内筒突条９３と、この突条９３間に形成された内筒カム溝９１と、内筒突条９３の先端に形成された内筒カム面９２とが形成されている。軸筒１０内には、図１にも示したようにコイルスプリング４０が内蔵され、リフィール３０が軸筒１０の後端側に付勢された状態で前後動可能に収容されている。
図７に示すように、回転子６０には、内筒７０の内周面に形成された内筒カム溝９１に挿入される長手方向に形成された回転子突条６１と、内筒７０の内筒カム面９２に係合する回転子突条６１の後端に形成された回転子カム面６２とが形成されている。
図８に示すように、ノック部材５０には、内筒７０の内筒カム溝９１に挿入される周方向に所定の間隔をおいて形成されたノック部材突起５１と、回転子６０の回転子カム面６２に係合するノック部材カム面５２とが形成されている。
【００２１】
リフィール３０の先端の筆記チップ３１が軸筒１０内に没入した状態から、軸筒１０の後端から突出したノック部材５０を押圧すると、回転子６０がノック部材５０のノック部材カム面５２により回転力を付与された状態で前進後、回転子６０の回転子突条６１が内筒７０のカム溝９１から外れ回転子６０が僅かに回転し、回転子６０の回転子カム面６２が内筒７０の内筒カム面９２に係合することで、リフィール３０先端の筆記チップ３１が軸筒１０の先端開口から突出保持される。
【００２２】
リフィール３０の先端の筆記チップ３１が軸筒１０の先端開口から突出保持された状態からノック部材５０の押圧を行うと、回転子６０がノック部材５０のノック部材カム面５２により回転力を付与された状態で前進後、回転子６０の回転子カム面６２と内筒７０の内筒カム面９２との係合が解除され、回転子６０が僅かに回転後、回転子６０の回転子突条６１が内筒７０の内筒カム溝９１に入り込むことで、リフィール３０の先端の筆記チップ３１が軸筒１０内に没入するようになっている。
【００２３】
図９は、クリップ片２２の延長線上に凸部８１を形成したものである。このような形態の筆記具では、凸部８１が把持する際の障害になるため、凸部８１の両側に親指と人差し指が配置されることになる。この場合に、クリップ片２２が適当な位置にないと筆記の邪魔になるおそれがある。本図のようにクリップ片２２が正面を向いておらず、例えば右側面に向いている場合に把持を行うと、このクリップ片２２が手指にあたってしまう可能性が高く、この場合は筆記感を阻害してしまう。
本図のように、クリップ片２２の延長線上に凸部８１を形成しておけば、凸部８１を除いて把持をすることで、クリップ片２２も筆記の邪魔にならない位置となる。
【００２４】
なお、上述の実施形態においては、いわゆるノック式筆記具に用いられる軸筒にクリップを設けたものを説明したが、この態様に限られるものではなく、キャップ式筆記具の軸筒や、キャップに適用することもできる。
【図面の簡単な説明】
【００２５】
【図１】本発明の第１の実施形態を示す縦断面図である。
【図２】図１の要部を示す縦断面図である。
【図３】内筒の側面図である。
【図４】クリップの正面図である。
【図５】図４のＡ−Ａ線断面図であり、クリップ本体の詳細を示す図である。
【図６】内筒の縦断面図である。
【図７】一部を断面で示した回転子の正面図である。
【図８】一部を断面で示したノック部材の正面図である。
【図９】本発明の第１の実施形態を示す正面図である。
【図１０】本発明の第２の実施形態を示す縦断面図である。
【符号の説明】
【００２６】
１０  軸筒
１１  軸筒段部
１２  後端縁
１３  雌ネジ部
１４  拡径部
２０  クリップ
２１  クリップ本体
２２  クリップ片
２３  凹溝
２４  係止部
２５  段部
３０  リフィール
３１  筆記チップ
３２  インク収納管
４０  コイルスプリング
５０  ノック部材
６０  回転子
６１  回転子突条
６２  回転子カム面
７０  内筒
７１  突出部
７２  係止突起
７３  前方フランジ部
７４  後方フランジ部
７５  縦リブ
７６  貫通部
７７  雄ねじ部
８０  グリップ部
８１  凸部
８２  軟質材
８３  貫通孔
９０  隙間
９１  内筒カム溝
９２  内筒カム面
９３  内筒突条
【図１】
2005125495.tif 000003
【図２】
2005125495.tif 000004
【図３】
2005125495.tif 000005
【図４】
2005125495.tif 000006
【図５】
2005125495.tif 000007
【図６】
2005125495.tif 000008
【図７】
2005125495.tif 000009
【図８】
2005125495.tif 000010
【図９】
2005125495.tif 000011
【図１０】
2005125495.tif 000012